(57)【要約】【課題】ヒューズ本体に溶断表示装置を簡単に後付けできるように改良したヒューズの溶断表示装置取付け構造を提供する。【解決手段】ヒューズ筒の両端に導電キャップ２，Ｌ字形の端子板３を備えたヒューズ本体１に、該ヒューズの溶断動作状態を表示する溶断表示装置４を後付けするための取付構造として、溶断表示装置の両端導電キャップに嵌着した導電材の取付板５をヒューズ本体の端子板３にスナップフィット結合して溶断表示装置を着脱可能に取り付けるものとし、具体的にはバネ性を有する導電板を二つ折りして板金加工したＺ字形の取付板５に対し、その板面に溶断表示装置４のキャップを嵌挿する嵌挿穴５ｂを開口するとともに、二股状に延在する先端側脚片部に係合突起５ａを向かい合わせに形成し、該係合突起をヒューズ本体の端子板に形成した係合穴３ａに嵌合して係止固定する。【選択図】        図１
2007059083.tif 000002
【特許請求の範囲】
【請求項１】
ヒューズ筒の両端に導電キャップ，端子板を備えたヒューズに、該ヒューズの溶断動作状態を表示する溶断表示装置を後付けするための取付構造であり、溶断表示装置の両端導電キャップに導電材からなるクリップ式の取付部材を嵌着し、該取付部材を介して溶断表示装置をヒューズ本体の端子板へ着脱可能に係止連結したことを特徴とするヒューズの溶断表示装置取付け構造。
【請求項２】
請求項１記載の溶断表示装置取付け構造において、取付部材が、バネ性を有する導電板を二つ折りした上で、その板面に溶断表示装置を嵌着する嵌挿穴を開口するとともに、二股状に延在する先端側脚片部に係合突起を向かい合わせに形成し、該係合突起をヒューズ本体の端子板に形成した係合穴にスナップフィット結合して係止固定したことを特徴とするヒューズの溶断表示装置取付け構造。
【発明の詳細な説明】
【技術分野】
【０００１】
本発明は、ヒューズ筒の両端に導電キャップ，端子板を備えた端子板付き筒形ヒューズに対し、該ヒューズにその溶断動作状態を表示する溶断表示装置（付属品）を後付けできるようにした溶断表示装置の取付け構造に関する。
【背景技術】
【０００２】
ヒューズ本体が溶断表示機構を備えている表示形ヒューズを除き、一般の端子付き筒形ヒューズはそのままではヒューズ本体の溶断動作状態を外部から確認することができないことから、そのヒューズの付属品として溶断表示装置が用意されている（例えば、特許文献１，特許文献２参照）。
次に、前記の筒形ヒューズを対象とした溶断表示装置付きヒューズの従来構造を図３（ａ）〜（ｄ）に示す。図において、１はヒューズエレメント，消弧砂を内蔵したヒューズ筒の両端に導電キャップ２，Ｌ形端子板３を備えたヒューズ本体、４はヒューズ本体１に外付けして並列接続した溶断表示装置（付属品）、４ａは溶断表示棒、５は溶断表示装置４をヒューズ本体１に取り付けるための取付板である。
ここで、ヒューズ本体１に溶断表示装置４を取り付けるために、ヒューズ本体１の両端に配した導電キャップ２の周面にはあらかじめスタッドボルト６が溶接固定されており、溶断表示装置４の導電キャップに巻き付けた取付板５を前記スタッドボルト６にナット７で締結するようにしている。なお、溶断表示装置４の詳細な構造，溶断表示動作は特許文献１に述べられており、ここではその説明は省略する。
【０００３】
また、溶断表示装置４には、その端部から突き出す表示棒４ａでヒューズの溶断状態を目視判別するタイプのほか、特許文献２に開示されているように、表示棒４ａの突き出し動作に応動するマイクロスイッチを組合せてヒューズの溶断動作を電気信号として外部に取り出すようにしたタイプもある。
【特許文献１】特開平５−６２５８８号公報
【特許文献２】特開平６−８４４４５号公報
【発明の開示】
【発明が解決しようとする課題】
【０００４】
ところで、前記した溶断表示装置をヒューズ本体に取り付ける従来の取付け構造は実用面で次記のような問題点がある。
すなわち、従来では端子付き筒形ヒューズの機種としてとして、メーカーでは溶断表示装置の使用に対応しない標準形のヒューズと、溶断表示装置の使用に対応する溶断表示装置付きヒューズとを別々に製作しており、溶断表示装置付きの機種については、その製造工程で図２に示したスタッドボルト６をヒューズ本体１の導電キャップ２に溶接しておき、ユーザーの要求により溶断表示装置４をこのスタッドボルト６に取り付けて製品を出荷するようにしている。これに対して、標準形のヒューズにはスタッドボルト６は設けてない。
このために、標準形の製品を購入したユーザーは、購入後に溶断表示装置をヒューズ本体に後付けすることができず、溶断表示装置を使用するにはスタッドボルトを備えた機種の製品を改めて購入する必要がある。
【０００５】
そこで、本発明の目的は、ユーザーの利便性，経済性を考慮して標準形のヒューズでも溶断表示装置を簡単に後付けできるようにし、併せてメーカーサイドでも製作費の低減化が図れるように改良したヒューズの溶断表示装置取付け構造を提供することにある。
【課題を解決するための手段】
【０００６】
上記目的を達成するために、本発明によれば、ヒューズ筒の両端に導電キャップ，端子板を備えたヒューズに、該ヒューズの溶断動作状態を表示する溶断表示装置を後付けするための取付構造として、溶断表示装置の両端導電キャップに導電材からなるクリップ式の導電取付部材を嵌着し、該取付部材をヒューズ本体の端子板へスナップフィット結合して溶断表示装置を着脱可能に取り付けるものとし（請求項１）、その具体的な態様として前記導電取付部材を次記のように構成する。
すなわち、前記取付部材は、バネ性を有する導電板を二つ折りした上で、その板面に溶断表示装置を嵌着する嵌挿穴を開口するとともに、二股状に延在する先端側脚片部に係合突起を向かい合わせに形成し、該係合突起をヒューズ本体の端子板に形成した係合穴にスナップフィット結合して係止固定する（請求項２）。
【発明の効果】
【０００７】
上記構成によれば、ヒューズ本体の端子板にあらかじ小さな係合穴を形成しておくだけで、図２で述べたようなスタッドボルトを溶接接合してなくても、必要に応じて溶断表示装置を前記構成の取付部材を介して簡単に後付けすることができる。
したがって、メーカーではヒューズ本体の端子板に係合穴を形成した構造のヒューズを標準品とすることで、溶断表示装置の使用，不使用のいずれにも対応可能となり、ユーザーの要求に応じて溶断表示装置を取付けて製品を出荷することも、また溶断表示装置を付けないで製品をヒューズを購入したユーザーが必要に応じて溶断表示装置を後付けすることもできる。
これにより、ユーザーへのサービス性向上が図れるほか、メーカーとしてもスタッドボルトの溶接が不要となるので製品コストを低減できる。
【発明を実施するための最良の形態】
【０００８】
以下、本発明の実施の形態を図１，図２に示す実施例に基づいて説明する。なお、実施例の図中で図３に対応する部材には同じ符号を付してその説明は省略する。
すなわち、図示実施例においては、溶断表示装置４の取付板５（取付部材）が、バネ性を有する導電板をＵ字状に二つ折りしたＺ形状の板金加工品になり、その二つ折りの屈曲端に近い側の板面には溶断表示装置４の導電キャップを嵌挿する嵌挿穴５ｂ（溶断表示装置４の外径に対応した穴径の穴）を開口しておくとともに、二股状に延在する先端側の脚片部には係合突起（ダボとして機能する小突起）５ａが向かい合わせに形成されている。一方、ヒューズ本体１のＬ形端子板３の板面（立ち上がり基部）には前記の係合突起５ａに対応する係合穴（ダボ穴）３ａを穿孔しておく。
そして、ヒューズ本体１に溶断表示装置４を取り付けるには、溶断表示装置４の両端に配した導電キャップに前記のクリップ形取付板５（二枚使用）に開口した嵌挿穴５ｂを図２のように嵌入した上で、取付板５の先端側に延在する二股状脚片部で端子板３を前後から挟むようにヒューズ本体１の側方から押し込んで前記係合突起５ａを係合穴３ａにスナップフィット結合し（図１（ｄ）参照）、この位置で取付板５のばね性を利用して端子板３に挟持固定する。これにより、溶断表示装置４が取付板５を介してヒューズ本体１に並列接続されることになる。
【０００９】
なお、ヒューズ本体１から溶断表示装置４を取り外す場合には、取付板５の脚片部を広げて係合突起５ａと端子板３の係合穴３ａとの係合を釈放することで簡単に引き抜くことができる。
【図面の簡単な説明】
【００１０】
【図１】本発明の実施例による溶断表示装置の取付構造を表す図で、（ａ）はヒューズ本体に溶断表示装置を取付けた状態の正面図、（ｂ）は同平面図、（ｃ）は（ａ）の端面図、（ｄ）は（ａ）におけるＡ部の拡大断面図
【図２】図１の組立手順を説明する分解斜視図
【図３】従来における溶断表示装置の取付構造図で、（ａ）はヒューズ本体に溶断表示装置を取付けた状態の正面図、（ｂ）は同平面図、（ｃ）は（ａ）の側面図、（ｄ）は溶断表示装置を取り付けてない状態でのヒューズ本体の端面図
【符号の説明】
【００１１】
１    ヒューズ本体
２    導電キャップ
３    端子板
３ａ  係合穴
４    溶断表示装置
５    取付板
５ａ  係合突起
５ｂ  溶断表示装置の嵌挿穴
【図１】
2007059083.tif 000003
【図２】
2007059083.tif 000004
【図３】
2007059083.tif 000005